(57)【要約】【課題】組立てが簡単で、かつ、消臭、抗菌および防汚作用に優れる掛け軸を提供する。【解決手段】布や紙を酸化チタン処理した二枚の表装本体２，２の間に、活性炭シート３を設けた表装部１と、前部６と後部７とに分割自在で、前記表装部１の上端部を挟持する上軸棒４と、同じく前部６と後部７とに分割自在で、前記表装部１の下端部を挟持する下軸棒５と、前記上軸棒４と下軸棒５に嵌装される止め具１１と、前記上軸棒４に連結される掛け紐１２と、前記下軸棒５に連結される紐片１４に、竹炭セラミックを酸化チタン処理したおもり１５を取付けたおもり飾り部１３とで構成する。【選択図】　　　図１
2004113544.tif 000002
【特許請求の範囲】
【請求項１】
布や紙を酸化チタン処理した二枚の表装本体（２，２）の間に，活性炭シート（３）を設けた表装部（１）と、前部（６）と後部（７）とに分割自在で，前記表装部の上端部を挟持する上軸棒（４）と、同じく前部と後部とに分割自在で，前記表装部の下端部を挟持する下軸棒（５）と、前記上軸棒と下軸棒に嵌装される止め具（１１）と、前記上軸棒に連結される掛け紐（１２）と、前記下軸棒に連結される紐片（１４）に，竹炭セラミックを酸化チタン処理したおもり（１５）を取付けたおもり飾り部（１３）と、からなる組立式掛け軸。
【発明の詳細な説明】
【０００１】
【発明の属する技術分野】本発明は、組立てが簡単で、かつ、消臭、抗菌および防汚作用を持つ、組立式の掛け軸に関するものである。
【０００２】
【従来の技術】古来から我が国では、床の間や壁面に掛け軸を掛ける習慣がある。この掛け軸は、布や和紙に書や画を表装したものであり、和風の雰囲気を醸し出すために、今でも多くの建物において使用されている。
【０００３】
【発明が解決しようとする課題】しかし、従来の掛け軸は、その組立て（仕立て）に多くの時間を要し、また、それに伴い制作費も嵩むものとなっている。
一方、近年の建物は密閉性に優れるため、室内にあらゆる有機物の臭いが充満したり、黴等の雑菌が発生して、壁等に汚れが付着し易いといった問題がある。
【０００４】
本発明はこうした問題に鑑み創案されたもので、組立てが簡単で、かつ、消臭、抗菌および防汚作用に優れる掛け軸を提供することを課題とする。
【０００５】
【課題を解決するための手段】図１乃至図４を参照して説明する。本発明に係る組立式掛け軸は、布や紙を酸化チタン処理した二枚の表装本体２，２の間に、活性炭シート３を設けた表装部１と、前部６と後部７とに分割自在で、前記表装部１の上端部を挟持する上軸棒４と、同じく前部６と後部７とに分割自在で、前記表装部１の下端部を挟持する下軸棒５と、前記上軸棒４と下軸棒５に嵌装される止め具１１と、前記上軸棒４に連結される掛け紐１２と、前記下軸棒５に連結される紐片１４に、竹炭セラミックを酸化チタン処理したおもり１５を取付けたおもり飾り部１３と、からなるものである。
【０００６】
【発明の実施の形態】本発明に係る組立式掛け軸の実施形態を、図１乃至図４に示す。この掛け軸は、表装部１、上軸棒４、下軸棒５、止め具１１、掛け紐１２およびおもり飾り部１３とから構成される。
【０００７】
表装部１は、縦長で長方形状の和紙を酸化チタン処理して構成した二枚の表装本体２，２の間に、活性炭シート（活性炭をシート状にしたもの）３を設けて形成している。酸化チタン処理は、例えば、酸化チタンの水溶液を作り、その水溶液を和紙に塗布することによって行うことができる。
【０００８】
上軸棒４は、その前部６と後部７とに分割自在とし、水平姿勢で、表装部１の上端部を強固に挟持するものである。強固な保持力を得るために、前部６（後部７）に凹部８を形成し、後部７（前部６）にその凹部８に嵌入する凸部９を形成したり（図３参照）、前部６または後部７に凹部８を形成し、その凹部８に針金１０を嵌入することができる（図４参照）。
【０００９】
下軸棒５は、上軸棒４と同じく前部６と後部７とに分割自在とし、表装部１の下端部を強固に挟持するものである。強固な保持力を得るために、上軸棒４の場合と同様に、凹部８と凸部９を嵌合させたり、凹部８に針金１０を嵌込む構成とすることができる。
【００１０】
止め具１１は、上軸棒４および下軸棒５の各両端部に嵌装され、当該上軸棒４および下軸棒５が不意の力によって分割するのを防止している。この止め具１１としては、ゴム等の弾性材製の止め輪、キャップあるいは止め金具もしくは装飾テープで巻く等が適当である。
【００１１】
掛け紐１２は、その一端を上軸棒４の一方端部に連結し、他端を他方端部に連結しており、その中間部を壁に打ち付けた掛止金具１６に掛止させる。
【００１２】
そして、おもり飾り部１３は、下軸棒５に連結される紐片１４の中間部に、竹炭セラミックを酸化チタン処理したおもり１５を取付けて構成している。なお、おもり１５の重量を増すために、竹炭セラミックと共に通常のセラミックや金属塊を使用することができる。
【００１３】
本実施形態に係る組立式掛け軸は、以下の作用を発揮する。すなわち、上軸棒４と下軸棒５のそれぞれを前部６に後部７に分割自在とし、表装部１の上端部および下端部を挟持するようにしているので、仕立てが簡単である。従って、組立てに要する時間が少なくて済み、製作費用も軽減することができる。
【００１４】
また、表装本体２を布や紙を酸化チタン処理して構成しているので、当該酸化チタンに紫外線が当たることによって光触媒反応が起き、原子活性酸素やヒドロキシラジカルが発生する。そして、これら物質の強い酸化還元作用により、永続的に、有機物の臭いや汚れを分解し、また、黴等の細菌等を死滅させて分解する。
【００１５】
さらに、二枚の表装本体２，２の間に設けた活性炭シート３によって、悪臭を迅速に除去することができる。
【００１６】
また、おもり飾り部１３を、竹炭セラミックを酸化チタン処理して構成しているので、竹炭セラミックのはたらきによって強い消臭作用が発揮され、酸化チタンのはたらきによって消臭、抗菌および防汚作用が発揮される。
【００１７】
この組立式掛け軸は、床の間等に常時掛けられるものであるため、消臭、抗菌および防汚を昼夜を問わず連続的に行うことができる。従って、例えば、消臭剤を噴霧するなどの瞬間的な手段と比較して、その効果は大きく、かつ長く続く。
【００１８】
なお、図５および図６に示すように、本発明における表装部１を小型化してシート部２１とすると共に、その裏面に粘着層２２および離型紙２３を設けることによって、消臭、抗菌および防汚機能を持つシート貼材２０を形成することができる。このシート貼材２０は、離型紙２３を剥がして、例えば、自動車の座席シート２４の後面に貼付けることにより、車内の消臭等を行うことができる。
【００１９】
【発明の効果】本発明に係る組立式掛け軸は、上軸棒４と下軸棒５のそれぞれを前部６と後部７に分割自在とし、表装部１の上端部および下端部を挟持するようにしているので組立てが簡単である。従って、組立てに要する時間が少なく、製作費用も軽減することができる。
【００２０】
また、表装本体２を布や紙を酸化チタン処理して構成しているので、光触媒反応により、有機物の臭いや汚れを分解し、また、黴等の細菌等を死滅させて分解する。さらに、二枚の表装本体２，２の間に設けた活性炭シート３によって、悪臭を迅速に除去することができる。
【００２１】
さらに、おもり飾り部１３を、竹炭セラミックを酸化チタン処理して構成しているので、竹炭セラミックのはたらきによって強く消臭作用を発揮し、酸化チタンのはたらきによって消臭、抗菌および防汚を行うことができる。
【図面の簡単な説明】
【図１】本発明に係る組立式掛け軸の実施例を示す正面図である。
【図２】図１に示す掛け軸の側面図（円内は拡大縦断面図）である。
【図３】図１に示す掛け軸の上軸棒（下軸棒）の実施形態を示す縦断面図である。
【図４】図１に示す掛け軸の上軸棒（下軸棒）の他の実施形態を示す縦断面図である。
【図５】本発明の応用例を示す側面図（円内は拡大縦断面図）である。
【図６】本発明の応用例を示す正面図（座席シートの後面図）である。
【符号の説明】
１　　　表装部
２　　　表装本体
３　　　活性炭シート
４　　　上軸棒
５　　　下軸棒
６　　　前部
７　　　後部
８　　　凹部
９　　　凸部
１０　　針金
１１　　止め具
１２　　掛け紐
１３　　おもり飾り部
１４　　紐片
１５　　おもり
１６　　掛止金具
２０　　シート貼材
２１　　シート部
２２　　粘着層
２３　　離型紙
２４　　座席シート
【図１】
2004113544.tif 000003
【図２】
2004113544.tif 000004
【図３】
2004113544.tif 000005
【図４】
2004113544.tif 000006
【図５】
2004113544.tif 000007
【図６】
2004113544.tif 000008